(57)【要約】【課題】  目地部を塞ぐことができると共に、目地プレート同士の当接部分から雨水等が下方へ落下することを確実に防止できる目地プレート及び床用目地装置を提供すること。【解決手段】  一方と他方の躯体間の目地部を塞ぐ床用目地装置に用いられる目地プレートにおいて、該目地プレートの前後方向の少なくとも一側面に左右方向に延在する外向きの凹所を形成したことを特徴とする。【選択図】  図１
2019070262.tif 000002
【特許請求の範囲】
【請求項１】
一方と他方の躯体間の目地部を塞ぐ床用目地装置に用いられる目地プレートにおいて、該目地プレートの前後方向の少なくとも一側面に左右方向に延在する外向きの凹所を形成したことを特徴とする目地プレート。
【請求項２】
前記凹所は、目地プレートの前後方向の側面の略上端部付近に設けられていることを特徴とする請求項１に記載の床用目地装置。
【請求項３】
一方と他方の躯体間の目地部を塞ぐ床用目地装置において、前記一方の躯体に設けられた第１の目地プレート支持部と、前記他方の躯体に設けられた第２の目地プレート支持部と、前記第１の目地プレート支持部に一端部が支持されるとともに、前記第２の目地プレート支持部に他端部が支持され、かつ、前後方向の少なくとも一側面に左右方向に延在する外向きの凹所を形成した目地プレートとで構成され、
前記目地プレートは前後方向に複数個設けられ、隣り合う目地プレートの凹所が対向するように設けられており、前記対向する凹所にはシール部材が充填されていることを特徴とする床用目地装置。
【請求項４】
前記目地プレートは、その他端部側にヒンジ部材を介してカバープレートを更に備えることを特徴とする請求項３に記載の床用目地装置。
【発明の詳細な説明】
【技術分野】
【０００１】
本発明は目地部を介して設けられた躯体の間の目地部を塞ぐ目地プレート及びこの目地プレートを用いた床用目地装置に関する。
【背景技術】
【０００２】
従来、雨水等を排水処理等することができる目地プレートを備える目地部を塞ぐ床用目地装置としては、「目地部を介して設けられた左右の床躯体の少なくとも一方の目地部側の床躯体に、反目地部側が傾斜面に形成された目地プレートスライド支持凹部と、この目地プレートスライド支持凹部を覆う目地プレート下地カバーと、前記目地プレートスライド支持凹部にスライド移動可能で、かつ前記目地部を覆う浅皿状の皿部材を備える複数の目地プレートと、この目地プレートの上面の水を前記目地プレート下地カバー上あるいは、前記目地部の近傍部位へ排水する、該目地プレートに埋設された排水パイプと、前記目地プレート下地カバー上あるいは前記目地部の近傍部位に排水された水を受けられるように、前記一方の目地部側の床躯体に取付けられた樋とからなることを特徴とする床用目地装置」が知られている（特許文献１）。
【０００３】
しかしながら、このような床用目地装置では、目地プレート上面に溜まった雨水等を排水することはできるものの、互いに隣り合う目地プレート同士の当接部分から下方へ流れ落ちる雨水等を所定の部位へ排出することはできなかった。
【先行技術文献】
【特許文献】
【０００４】
【特許文献１】特許第５３９０４５９号公報
【発明の概要】
【発明が解決しようとする課題】
【０００５】
本発明は以上のような従来の欠点に鑑み、目地部を塞ぐことができると共に、目地プレート同士の当接部分から雨水等が下方へ落下することを確実に防止できる目地プレート及び床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の目地プレートは、一方と他方の躯体間の目地部を塞ぐ床用目地装置に用いられる目地プレートにおいて、該目地プレートの前後方向の少なくとも一側面に左右方向に延在する外向きの凹所を形成したことを特徴とする。
【０００８】
また、本発明の床用目地装置は、一方と他方の躯体間の目地部を塞ぐ床用目地装置において、前記一方の躯体に設けられた第１の目地プレート支持部と、前記他方の躯体に設けられた第２の目地プレート支持部と、前記第１の目地プレート支持部に一端部が支持されるとともに、前記第２の目地プレート支持部に他端部が支持され、かつ、前後方向の少なくとも一側面に左右方向に延在する外向きの凹所を形成した目地プレートとで構成され、前記目地プレートは前後方向に複数個設けられ、隣り合う目地プレートの凹所が対向するように設けられており、前記対向する凹所にはシール部材が充填されていることを特徴とする。
【発明の効果】
【０００９】
以上の説明から明らかなように、本発明にあっては次に列挙する効果が得られる。
（１）請求項１及び請求項３に記載の各発明においては、凹所にシール部材が充填され又は充填することができるので、複数個の目地プレートの隙間から目地部の下部等に雨水が落下することを確実に防止することができる。
（２）目地プレートの前後方向の少なくとも一側面に前後方向に延在する凹所を備え、この凹所にシール部材を充填するので、目地プレートをメンテナンスする際に、カッター等でシール部材を切断すれば隣り合う目地プレートとの結合が解除されるので、容易に目的の目地プレートをメンテナンスすることができる。
【００１０】
また、メンテナンス後は、再度凹所にシール部材を充填することにより、目地プレートの隙間から目地部の下部等に雨水が落下することを確実に防止することができる。
（３）請求項２に記載の発明においても、前記（１）〜（２）と同様な効果が得られるとともに、凹所が上端部付近に形成されているので、シール部材を容易に充填することができる。
（４）請求項４に記載の発明においても、前記（１）〜（３）と同様な効果が得られるとともに、他方の躯体の床面との段差を少なくすることができる。
【図面の簡単な説明】
【００１１】
図１乃至図８は本発明の第１の実施形態を示す説明図である。
図９乃至図１２は本発明の第２の実施形態を示す説明図である。
図１３乃至図１６は本発明の第３の実施形態を示す説明図である。
【図１】第１の実施形態の目地プレートの斜視図。
【図２】図１の２−２線に沿う断面図。
【図３】図１の３−３線に沿う断面図。
【図４】第１の実施形態の床用目地装置の平面図。
【図５】図４の５−５線に沿う断面図。
【図６】図４の６−６線に沿う断面図。
【図７】地震で目地部が狭くなった場合の正面視側からの動作説明図。
【図８】地震で目地部が広くなった場合の正面視側からの動作説明図。
【図９】第２の実施形態の目地プレートの斜視図。
【図１０】図９の１０−１０線に沿う断面図。
【図１１】第２の実施形態の床用目地装置の平面図。
【図１２】図１１の１２−１２線に沿う断面図。
【図１３】第３の実施形態の目地プレートの斜視図。
【図１４】図１３の１４−１４線に沿う断面図。
【図１５】第３の実施形態の床用目地装置の平面図。
【図１６】図１５の１６−１６線に沿う断面図。
【発明を実施するための形態】
【００１２】
以下、図面に示す本発明を実施するための形態により、本発明を詳細に説明する。
図１乃至図９に示す本発明を実施するための第１の形態において、１は目地部２を介して設けられた一方の躯体３及び他方の躯体４間に設置された床用目地装置５に用いられる目地プレートである。
【００１３】
なお、左右方向とは図４（平面視）における左右方向であり、前後方向とは図４における上下方向、上下方向とは図５における上下方向をいう。
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１４】
本実施形態の目地プレート１は、図１乃至図３に示すように、目地プレート１の前後方向の少なくとも一側面１ａに左右方向に凹所６を形成している。
【００１５】
この凹所６は、本実施形態においては、例えば図１に示すように、目地プレート１の一端部１ｂから他端部１ｂまで連通するように形成されているが、例えば床用目地装置５に設置した際に、目地部２が位置する部位にのみ凹所６を形成してもよい。
【００１６】
また、この凹所６は、本実施形態では目地プレート１の前後方向の側面１ａの略上端部付近に形成されており、その形状は、図３に示すように、外向き（内側に凸）で弧状となっている。この凹所６の断面形状は、弧状だけでなく、三角形状、四角形状（多角形状）、楕円形状等に形成してもよい。
凹所６は、目地部２の前後方向の端部に設置される目地プレート１については隣り合う目地プレート１と対向する一側面１ａのみに形成され、中間に位置する（前後方向の両隣に目地プレート１が存在する）目地プレート１については両方の側面１ａに凹所６が形成されている。
【００１７】
この目地プレート１は、本実施形態では、浅皿状で前後方向の側面に凹所６が形成された目地プレート本体７と、この目地プレート本体７の一端部側の両端部に設けられたピンボックス８と、目地プレート本体７の内部に充填されるモルタルやコンクリート等の充填部材９と、この充填部材９の上面に設けられた化粧板１０と、目地プレート本体７の他端部側にヒンジ部材１１を介して設けられたカバープレート１２とで構成されている。
なお、本実施形態のような浅皿状の目地プレート１ではなく、一枚板の目地プレートを用いて、その前後方向の側面に凹所を形成してもよい。
【００１８】
本実施形態の床用目地装置１は、図４乃至図６に示すように、一方の躯体３に設けられた第１の目地プレート支持部１３と、他方の躯体４に設けられた第２の目地プレート支持部１４と、前記第１の目地プレート支持部１３に一端部１ｂが支持されるとともに、前記第２の目地プレート支持部１４に他端部１ｃが支持された複数個の前記目地プレート１とで構成されている。
【００１９】
この複数個の目地プレート１は、前後方向に複数個、略当接する状態で設けられており、例えば図６に示すように、隣り合う目地プレート１の凹所６が対向するように形成され、前記対向する凹所６にはシール部材１５が充填されている。
【００２０】
なお、略当接するとは、目地プレート同士がぴったりと当接している状態及びわずかな隙間を介して隣り合っている状態を含むものであり、本実施形態では隣り合う目地プレート１は２〜８ｍｍ程度の僅かな隙間を有して配置されている。
【００２１】
目地プレート１の前後方向の側面は、凹所６が形成されているものの、クランク状等の折れ曲がった形状になっていないので、目地プレート１や床用目地装置５をメンテナンスする際に、カッター等でシール部材１５を容易に切断することができ、切断すれば隣り合う目地プレートとの結合が解除されるので、容易に目的の目地プレート１等をメンテナンスすることができる。
【００２２】
また、メンテナンス後は、再度凹所６にシール部材１５を充填することにより、目地プレート１の隙間から目地部２の下部等に雨水が落下することを確実に防止することができる。
【００２３】
ところで、このシール部材１５は、防水のために用いられるシリコーン、ウレタン等の公知のシール部材１５を用いることができる。
【００２４】
第１の目地プレート支持部１３は、例えば図５に示すように、一方の躯体３の目地部側の端部に凹所状に形成されている。本実施形態では、一方の躯体３に一体的に第１の目地プレート支持部５を形成しているが、例えば、一方の躯体３の目地部側の壁面にアングル状、クランク状等の金具を固定して、この金具を第１の目地プレート支持部５としてもよい。
【００２５】
この第１の目地プレート支持部１３には、目地プレート１のピンボックス８に挿入される枢支ピン１６が固定されている。
【００２６】
第２の目地プレート支持部１４は、例えば図５に示すように、他方の躯体４の目地部２側の床面上に形成されており、目地部２と反対側の端部には傾斜面１７が形成されている。
【００２７】
地震で躯体３、４が左右方向に揺れ動き目地部２が狭くなると、図７に示すように、目地プレート１は第２の目地プレート支持部１４の傾斜面１７に乗り上げ、地震による揺れ動きを吸収する。
【００２８】
地震で躯体３、４が左右方向に揺れ動き目地部２が広くなると、図８に示すように、目地プレート１は第２の目地プレート支持部１４を左右方向にスライド移動し、地震による揺れ動きを吸収することができる。
【００２９】
[発明を実施するための異なる形態]
次に、図９乃至図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３０】
図９乃至図１２に示す本発明を実施するための第２の形態において、前記本発明を実施するための第１の形態と主に異なる点は、上下方向の略中間部位に凹所６Ａを形成した点で、このような目地プレート１Ａ及びこの目地プレート１Ａを用いた床用目地装置５Ａにしても、前記本発明を実施するための第１の形態と同様の作用効果を得ることができる。
【００３１】
図１３乃至図１６に示す本発明を実施するための第３の形態において、前記本発明を実施するための第２の形態と主に異なる点は、断面形状略三角形の凹所６Ｂにした点で、このような目地プレート１Ｂ及びこの目地プレート１Ｂを用いた床用目地装置５Ｂにしても、前記本発明を実施するための第２の形態と同様の作用効果を得ることができる。
【産業上の利用可能性】
【００３２】
本発明は目地プレートや床用目地装置を製造する産業で利用される。
【符号の説明】
【００３３】
１、１Ａ、１Ｂ：目地プレート、      ２：目地部、
３：一方の躯体、                    ４：他方の躯体、
５、５Ａ、５Ｂ：床用目地装置、      ６、６Ａ、６Ｂ：凹所、
７：目地プレート本体、              ８：ピンボックス、
９：充填部材、                      １０：化粧板、
１１：ヒンジ部材、                  １２：カバープレート、
１３：第１の目地プレート支持部、    １４：第２の目地プレート支持部、
１５：シール部材、                  １６：枢支ピン、
１７：傾斜面。
【図１】
2019070262.tif 000003
【図２】
2019070262.tif 000004
【図３】
2019070262.tif 000005
【図４】
2019070262.tif 000006
【図５】
2019070262.tif 000007
【図６】
2019070262.tif 000008
【図７】
2019070262.tif 000009
【図８】
2019070262.tif 000010
【図９】
2019070262.tif 000011
【図１０】
2019070262.tif 000012
【図１１】
2019070262.tif 000013
【図１２】
2019070262.tif 000014
【図１３】
2019070262.tif 000015
【図１４】
2019070262.tif 000016
【図１５】
2019070262.tif 000017
【図１６】
2019070262.tif 000018